(57)【要約】【課題】本発明は、１回の押動動作で任意に設定した数の棒状体を確実に排出することが可能な棒状体の容器を提供するものである。【解決手段】ケース本体２は内部に棒状体の収容部５ａを有し、ケース本体２の外方に突出する操作部３を設け、収容部５ａの前端部に開口部５ｃを形成し、収容部５ａの前方に棒状体４を支持する支持体６をケース本体２に対して前後動可能に配設し、支持体６の後方に突起部６ｂを形成し、突起部６ｂの内部は棒状体４が通過可能な連絡通路６ｃを備え、操作部３を押動することで支持体６による棒状体４の支持が解除されると共に開口部５ｃに突起部５ｂが突出する構造。【選択図】図１
2015009450.tif 000002
【特許請求の範囲】
【請求項１】
ケース本体の内部に棒状体の収容部を有し、前記ケース本体の外方に突設した操作部を押動することで、前記収容部より前記棒状体を排出させる構造の棒状体の容器において、前記収容部の前端部に前方へ向かって狭まる傾斜面を形成し、前記傾斜面の先端に開口部を設け、前記開口部の前方に前記棒状体を支持する先割れの支持部を有した支持体を設けると共に該支持体の後方に該棒状体が挿通する連絡通路を有した突起部を設け、前記突起部の後端を前記開口部の後端より前方に位置するように配し、前記ケース本体の内方に前記支持体に向かって膨出する膨出部を設けて前記先割れの支持部を当接させることにより、前記先割れの支持部が互いに接近して前記棒状体の前端部を支持させ、前記操作部を押動することにより、前記突起部の後端が前記収容部の内方へ突出して、前記支持体で支持された前記棒状体を後退させると共に、前記操作部の更なる押動で、前記支持体の先割れの支持部と前記膨出部との当接状態を解除することにより、前記先割れの支持部の接近状態を解除して前記棒状体を外部に排出させる構造を特徴とした棒状体の容器。
【請求項２】
前記操作部を前記ケース本体の後方に前後動可能に突設し、前記操作部の前方に内ケースを設け、前記内ケースの前方に前記支持体を配し、前記ケース本体の内部に弾性部材を配設すると共に、前記弾性部材により前記膨出部の後方に形成した係止部と前記内ケースの前方に形成した係止部とを離間する方向へ弾発させたことを特徴とする請求項１に記載の棒状体の容器。
【請求項３】
前記操作部を前記ケース本体の前方に前後動可能に突設し、前記操作部の内方に前記膨出部を形成し、前記膨出部の内方に前記支持体を配し、前記ケース本体の内部に弾性部材を配設すると共に、前記弾性部材により前記操作部の後方に設けた係止部と前記ケース本体に形成した係止部とを離間する方向へ弾発させたことを特徴とする請求項１に記載の棒状体の容器。
【請求項４】
前記操作部が前記ケース本体の後方に前後動可能に突設した後方操作部と前記ケース本体の前方に前後動可能に突設した前方操作部とを有し、前記後方操作部の前方に内ケースを設け、前記内ケースの前方に前記支持体を配し、前記前方操作部の内方に前記膨出部を形成し、前記ケース本体の内部に弾性部材を配設すると共に、前記弾性部材により前記膨出部の後方に形成した係止部と前記内ケースの前方に形成した係止部とを離間する方向へ弾発させたことを特徴とする請求項１に記載の棒状体の容器。
【請求項５】
前記ケース本体の内側面に摺動溝又は摺動突起を設け、前記操作部又は該操作部に連動して前後動する部材の外側面に前記摺動溝又は前記摺動突起に対向する摺動突起又は摺動溝を設け、前記摺動溝に前後方向へ延びる縦溝と該縦溝から曲げて形成した横溝とを設けることにより、前記摺動突起が前記摺動溝の縦溝に位置した状態で前記操作部の押動を可能とし、前記摺動突起が前記摺動溝の横溝に係止した状態で前記操作部の押動を不能にすると共に、前記支持体の先割れの支持部が前記膨出部に当接されて互いが接近した状態を維持するように構成したことを特徴とする請求項２〜４に記載の棒状体の容器。
【請求項６】
前記ケース本体の端部に係合凸部又は係合凹部を設け、前記操作部又は該操作部に連動して前後動する部材に前記係合凸部又は前記係合凹部に対向する係合凹部又は係合凸部を設け、前記操作部を前記ケース本体に対して回動動可能とし、前記操作部を
該操作部の係合凸部又は係合凹部と前記ケース本体の係合凹部又は係合凸部とが合致しない位置に回動させることにより、前記操作部を前記ケース本体に対して押動不能とするように構成したことを特徴とする請求項５に記載の棒状体の容器。
【発明の詳細な説明】
【技術分野】
【０００１】
本発明は、棒状体を収容する容器に関する。
【背景技術】
【０００２】
従来から、棒状体の容器において、容器の内部に収容した棒状体を容易な手段で排出する構造として、容器より外方に突出したノック操作部を押動して棒状体の排出口を形成し、棒状体を１本ずつ排出できるシャープペンシルの替芯ケースの構造が知られている。（特許文献１、特許文献２参照）
【０００３】
しかしながら、特許文献１の構造ではノック操作部を押動し、内装したチャックの外周部の締め付けが開放されて開くことにより、収容部の棒状体を取出口から１本ずつ排出することが可能であるが、１本目の棒状体が排出されたあと２本目の棒状体が収容部から誘導間に入って外部へ排出されてしまう場合があり、ノック操作部を押動している間は次々と棒状体が排出されてしまう可能性がある。
また、特許文献２の構造では、外ケースに対して内ケースを押し込むこと、または外ケースの側壁部に形成された貫通孔から露出している内ケースの可動片を押圧することで供給口が形成され、棒状体を１本ずつ排出可能としているが、棒状体はガイド溝に入ってから供給口を通して排出されるため、棒状体をガイド溝に入れるためにケースを一定方向に傾ける必要があり、更に、棒状体がガイド溝に入っているかの確認が困難なため棒状体の排出が不安定になる可能性がある。
【先行技術文献】
【特許文献】
【０００４】
【特許文献１】実用新案登録第３０９５５７１号公報
【特許文献２】実用新案登録第２６０６５４４号公報
【発明の概要】
【発明が解決しようとする課題】
【０００５】
本発明は、前記問題を鑑みて、１回の押動動作で任意に設定した数の棒状体を確実に排出することが可能な棒状体の容器を提供することを課題とする。
【課題を解決するための手段】
【０００６】
本発明は、
「１．ケース本体の内部に棒状体の収容部を有し、前記ケース本体の外方に突設した操作部を押動することで、前記収容部より前記棒状体を排出させる構造の棒状体の容器において、前記収容部の前端部に前方へ向かって狭まる傾斜面を形成し、前記傾斜面の先端に開口部を設け、前記開口部の前方に前記棒状体を支持する先割れの支持部を有した支持体を設けると共に該支持体の後方に該棒状体が挿通する連絡通路を有した突起部を設け、前記突起部の後端を前記開口部の後端より前方に位置するように配し、前記ケース本体の内方に前記支持体に向かって膨出する膨出部を設けて前記先割れの支持部を当接させることにより、前記先割れの支持部が互いに接近して前記棒状体の前端部を支持させ、前記操作部を押動することにより、前記突起部の後端が前記収容部の内方へ突出して、前記支持体で支持された前記棒状体を後退させると共に、前記操作部の更なる押動で、前記支持体の先割れの支持部と前記膨出部との当接状態を解除することにより、前記先割れの支持部の接近状態を解除して前記棒状体を外部に排出させる構造を特徴とした棒状体の容器。
２．前記操作部を前記ケース本体の後方に前後動可能に突設し、前記操作部の前方に内ケースを設け、前記内ケースの前方に前記支持体を配し、前記ケース本体の内部に弾性部材を配設すると共に、前記弾性部材により前記膨出部の後方に形成した係止部と前記内ケースの前方に形成した係止部とを離間する方向へ弾発させたことを特徴とする１項に記載の棒状体の容器。
３．前記操作部を前記ケース本体の前方に前後動可能に突設し、前記操作部の内方に前記膨出部を形成し、前記膨出部の内方に前記支持体を配し、前記ケース本体の内部に弾性部材を配設すると共に、前記弾性部材により前記操作部の後方に設けた係止部と前記ケース本体に形成した係止部とを離間する方向へ弾発させたことを特徴とする１項に記載の棒状体の容器。
４．前記操作部が前記ケース本体の後方に前後動可能に突設した後方操作部と前記ケース本体の前方に前後動可能に突設した前方操作部とを有し、前記後方操作部の前方に内ケースを設け、前記内ケースの前方に前記支持体を配し、前記前方操作部の内方に前記膨出部を形成し、前記ケース本体の内部に弾性部材を配設すると共に、前記弾性部材により前記前方操作部の後方に設けた係止部と前記内ケースの前方に形成した係止部とを離間する方向へ弾発させたことを特徴とする１項に記載の棒状体の容器。
５．前記ケース本体の内側面に摺動溝又は摺動突起を設け、前記操作部又は該操作部に連動して前後動する部材の外側面に前記摺動溝又は前記摺動突起に対向する摺動突起又は摺動溝を設け、前記摺動溝に前後方向へ延びる縦溝と該縦溝から曲げて形成した横溝とを設けることにより、前記摺動突起が前記摺動溝の縦溝に位置した状態で前記操作部の押動を可能とし、前記摺動突起が前記摺動溝の横溝に係止した状態で前記操作部の押動を不能にすると共に、前記支持体の先割れの支持部が前記膨出部に当接されて互いが接近した状態を維持するように構成したことを特徴とする２〜４項に記載の棒状体の容器。
６．前記ケース本体の端部に係合凸部又は係合凹部を設け、前記操作部又は該操作部に連動して前後動する部材に前記係合凸部又は前記係合凹部に対向する係合凹部又は係合凸部を設け、前記操作部を前記ケース本体に対して回動動可能とし、前記操作部を該操作部の係合凸部又は係合凹部と前記ケース本体の係合凹部又は係合凸部とが合致しない位置に回動させることにより、前記操作部を前記ケース本体に対して押動不能とするように構成したことを特徴とする５項に記載の棒状体の容器。」である。
【０００７】
本発明の棒状体の容器は、操作部を押動することにより、収容部に収容されている棒状体の内、連絡通路に入り先割れの支持部に支持されている棒状体を外部へ排出すると共に、突起部が収容部に突出し、最初に連絡通路に入っていた棒状体以外の他の棒状体が連絡通路に進入することを防止するため、棒状体を所定数のみ排出することができる。
また、本発明の棒状体の容器を例えばシャープペンシル用の替芯ケースなどに使用する場合、連絡通路の大きさを芯径や一度に排出させたい本数に合わせて形成するればよい。
【０００８】
また、操作部をケース本体の後方に突出して設けることで、片手での操作で操作部を押動させることができ、容易に棒状体を取り出すことができる。
【０００９】
また、操作部をケース本体の前方に突出して設けることで、ケース本体を片手で保持しつつ操作部を棒状体の被補充容器の入り口等に押しつけることで操作部を押動させ、棒状体を容易に被補充容器内に排出することができる。さらに、ケース本体を片手で保持し、もう一方の手で操作部を押動することにより棒状体をケース本体より取り出しつつ掴むことができるため、排出時に棒状体を落とすことを防止できる。
【００１０】
また、操作部をケース本体の前方及び後方にそれぞれ設けることで、上記のように前後それぞれから操作部を押動して棒状体を排出することが可能であり、状況に合わせて操作部の押動箇所を選択することができる。
【００１１】
また、ケース本体に対して操作部を相対的に回動させることで、操作部が前後動可能な状態と前後動不能な状態とを切り替えることができ、操作部が前後動不能な位置にあるときは棒状体の排出が出来ない状態にすることで、携帯時に不用意に棒状体が排出されるのを防ぐことができる。
【発明の効果】
【００１２】
本発明は、操作部の押動により任意に設定した数の棒状体を確実に排出することができる棒状体の容器を提供できた。
【図面の簡単な説明】
【００１３】
【図１】実施例１の替芯ケースの断面図である。
【図２】実施例１の替芯ケースの側面図である。
【図３】実施例１の替芯ケースの芯を排出する過程を段階的に示した断面図である。
【図４】実施例１の操作部の前後動をロックする前後の側面図である。
【図５】実施例２の替芯ケースの断面図である。
【図６】実施例２の替芯ケースの側面図である。
【図７】実施例２の替芯ケースの芯を排出する過程を段階的に示した断面図である。
【図８】実施例２の操作部の前後動をロックする前後の側面図である。
【図９】実施例３の替芯ケースの断面図である。
【図１０】実施例３の替芯ケースの側面図である。
【図１１】実施例３の替芯ケースの後方操作部を押動して芯を排出する過程を段階的に示した断面図である。
【図１２】実施例３の替芯ケースの前方操作部を押動して芯を排出する過程を段階的に示した断面図である。
【図１３】実施例３の後方操作部及び前方操作部の前後動をロックする前後の側面図である。
【発明を実施するための形態】
【００１４】
次に図１から図１３を参照しながら、実施例１〜３の棒状体の容器の説明をするが、本発明は以下の実施例に限定されるものではない。尚、先端開口部がある側を前方と表現し、その反対側を後方と表現する。
尚、本実施例の説明においては、棒状体の容器として、シャープペンシル用の芯を収容した替芯ケースを用いて説明しており、替芯ケースから芯を１本ずつ排出可能にした構造である。
【実施例１】
【００１５】
図１は実施例１の替芯ケースの断面図である。替芯ケース１は、円筒形状のケース本体２の後方に操作部３を設け、ケース本体２の内部に芯４を複数収容可能な収容部５ａを形成した内ケース５を備え、収容部５ａの前端に漏斗状の傾斜面５ｂを形成し、傾斜面５ｂの前端部に開口部５ｃを設け、替芯ケース１の前方を下に向けた際に、収容部５ａに収容した芯４が傾斜面５ｂにより開口部５ｃ側に集まるよう構成してある。
【００１６】
また、内ケース５の前方にケース本体２に対して前後動可能に支持体６を配設し、支持体の前部に２分割した先割れの支持部６ａを設け、先割れの支持部６ａは先端が互いに離間する方向に弾性力を有すると共に、支持体６の後部に突起部６ｂを設け、突起部６ｂの中心に芯４が１本のみ挿通可能な連絡通路６ｃを形成してある。さらに突起部６ｂは内ケース５の開口部５ｃに対して前後動可能に挿通されると共に、突起部６ｂの後端６ｄは開口部５ｃの後端より前方に配置され、支持体６の側面に内ケース５の前端部５ｄと当接可能な段部６ｅを形成してある。
【００１７】
ケース本体２の内部に内方へ膨出する膨出部２ａを設け、膨出部２ａと先割れの支持部６ａとを当接可能に形成し、外側面に雄螺子部２ｂが形成してある。また、膨出部２ａと先割れの支持部６ａとを当接させることで先割れの支持部６ａが互いに接近し、芯４を支持すると共に、当接を解除することにより先割れの支持部６ａは互いに離間するように広がり、芯４が支持体６の内部を通過することが可能になるよう構成してある。
【００１８】
また、ケース本体２の前方に先端部材７を配設し、先端部材７は前端中心部に芯４が通過可能な先端開口部７ａを備え、内側面に雌螺子部７ｂを形成してケース本体２の雄螺子部２ｂと螺着してある。
【００１９】
ケース本体２の膨出部２ａの後端に設けた係止部２ｇと内ケース５の前端に設けた係止部５ｅとの間に弾性部材８を配設し、内ケース５を後方に弾発してある。
また、支持体６の前端部６ｆと先端部材７の内側に設けた段部７ｃとの間に支持体弾発部材９を設け、支持体６を後方に弾発してある。
【００２０】
内ケース５をケース本体２に対して前後動可能且つ回動可能に形成し、内ケース５の後端には後端開口部５ｆを設けて、収容部５ａへの芯４の補充を可能とし、操作部３を内ケース５の後方に着脱可能に装着して後端開口部５ｆが閉口可能な状態にしてある。また、操作部３の前端に後方に向かって凹んだ凹部３ａを形成し、内ケース５の後部外周部５ｇに凸部５ｈを形成し、凹部３ａと凸部５ｈとが係合することで、操作部３を内ケース５の後部外周部５ｇに前後方向に着脱可能且つ回動不能に装着してある。
【００２１】
図２は、本実施例の替芯ケースの側面図である。ケース本体２の側面にＬ字状の摺動溝２ｃを設け、内ケース５の外側面に摺動突起５ｉを設け、摺動溝２ｃは前後方向に形成された縦溝２ｄと縦溝２ｄの後端部から直角方向に曲げて形成した横溝２ｅとで構成され、縦溝２ｄと摺動突起５ｉとが係止関係にあるときは、ケース本体２に対して内ケース５が前後動可能とすると共に縦溝２ｄの長さで移動範囲を規定してある。更に横溝２ｅと摺動突起５ｉが係止状態にあるときは、ケース本体２に対して内ケース５の前後動を不能としてある。
【００２２】
次に図３を用いて芯の排出待機状態から操作部３を押動して、替芯ケース１から芯４を排出する手段について説明する。
【００２３】
図１及び図３Ａは実施例１の替芯ケース１において、芯の排出待機状態を示しており、操作部３に負荷をかけていない状態である。
また、図３Ａの芯の排出待機状態では、内ケース５の収容部５ａに収容されている複数本の芯４の内、１本が連絡通路６ｃに入り、先割れの支持部６ａがケース本体２の膨出部２ａと当接して互いに接近状態になっていることから、芯４は先割れの支持部６ａで支持されている。
次に図３Ａの状態から図３Ｂの位置まで操作部３を前方に押動することにより、操作部３と連動して内ケース５が前方に移動し、内ケース５の前端部５ｄが支持体６の段部６ｅと当接すると共に、支持体６の突起部６ｂが開口部５ｃから収容部５ａに突出して傾斜面５ｂとの間に段差ができるため、他の芯が連絡通路６ｃに入ることを防止できる。
更に操作部３を押動することにより図３Ｃの状態になると、操作部３に押圧されて支持体６が前進し、先割れの支持部６ａと膨出部２ａとの当接が解除され、先割れの支持部６ａが互いに離間することで支持体６の内部を芯４が通過可能となり、芯４は先端部材７の先端開口部７ａより外部へ排出される。このとき支持体６の突起部６ｂは収容部５ａへの突出状態を継続しているため、他の芯は連絡通路６ｃに入ることができず、操作部３の押動状態を保っても外部に排出されることはない。
次に操作部３の押動を解除すると、弾性部材８及び支持体弾発部材９の弾発力で操作部３が図３Ａの状態に戻り、収容部５ａに突出していた突起部６ｂは収容部５ａの開口部５ｃより前方に没入し、収容部５ａ内の他の芯が連絡通路６ｃに１本入って芯の排出待機状態となる。
【００２４】
次に図４を用いて操作部３の前後動をロックし、芯４を一時的に排出不能とする方法について説明する。
図１及び図４Ａの状態から、操作部３をケース本体２に対して相対的に回動して、操作部３と係合している内ケース５の摺動突起５ｉをケース本体２の摺動溝２ｃの縦溝２ｄから横溝２ｅへ移動して係止させた図４Ｂの状態にすることで、ケース本体２に対して内ケース５及び操作部３の前後動を規制し、芯４を一時的に排出不能にした状態となる。また、横溝２ｅと縦溝２ｄとの境界部に凸部２ｆを設けることで、横溝２ｅと摺動突起５ｉとの係止状態が不用意に解除されないように構成してある。
【実施例２】
【００２５】
次に図５〜図８を用いて本発明の実施例２について説明する。尚、実施例１と同様の構造については説明を省略する。
【００２６】
図５は実施例２の替芯ケースの断面図である。替芯ケース１１は、円筒形状のケース本体１２の前方に操作部１３を設け、ケース本体１２の内部に芯１４を複数収容可能な収容部１５ａを形成した内ケース１５を備え、収容部１５ａの前端に漏斗状の傾斜面１５ｂを形成し、傾斜面１５ｂの前端部に開口部１５ｃを設け、替芯ケース１１の前方を下に向けた際に、収容部１５ａに収容した芯１４が傾斜面１５ｂにより開口部１５ｃ側に集まるよう構成してある。
【００２７】
次に、内ケース１５の前方にケース本体１２に対して前後動可能に支持体１６を配設し、支持体１６の前部に２分割した先割れの支持部１６ａを設け、先割れの支持部１６ａは先端が互いに離間する方向に弾性力を有すると共に、支持体１６の後部に突起部１６ｂを設け、突起部１６ｂの中心に芯１４が１本のみ挿通可能な連絡通路１６ｃを形成してある。さらに突起部１６ｂは内ケース１５の開口部１５ｃに対して前後動可能に挿通されると共に、突起部１６ｂの後部外側部に凸部１６ｄを設け、凸部１６ｄと内ケース１５の開口部１５ｃに設けた段部１５ｄとが当接することで突起部１６ｂの前方への移動を規制してある。また、凸部１６ｄは後端１６ｅに向けて径小となるテーパ状に形成され、突起部１６ｂが収容部１５ａに突出する際に芯を引掛けて後方に弾いてしまうことを防止できる。更に、突起部１６ｂの後端１６ｅは開口部１５ｃの後端より前方に配置され、支持体１６の側面に内ケース１５の前端部１５ｅと当接可能な段部１６ｆを形成してある。
【００２８】
次に支持体１６の外側且つケース本体１２の内方に連結体１７を設け、連結体１７の内部に内方へ膨出する膨出部１７ａを設け、膨出部１７ａと先割れの支持部１６ａとを当接可能に形成し、連結体１７の外側面に雄螺子部１７ｂが形成されている。
【００２９】
また、連結体１７の前方に操作部１３を配設し、操作部１３は前端中心に芯１４が通過可能な先端開口部１３ａを有し、後部内側面に雌螺子部１３ｂを形成して連結体１７の雄螺子部１７ｂと螺着してある。更に連結体１７と操作部１３とをケース本体１２に対して前後動可能且つ回動可能に形成し、連結体１７の後端部に鍔部１７ｃを形成し、鍔部１７ｃがケース本体１２の内側面に設けた段部１２ａの後端と当接して連結体１７の前方への移動を規制すると共に、操作部１３の後端部が段部１２ａの前端と当接して操作部１３の後方への移動を規制する。
【００３０】
また、連結体１７の膨出部１７ａの後方に形成した係止部１７ｄと内ケース１５の前端に設けた係止部１５ｆとの間に弾性部材１８を配設し、連結体１７を内ケース１５に対して前方に弾発してある。
【００３１】
内ケース１５は外面に係止突起１５ｇを備え、ケース本体１２の内側面に係止孔１２ｂを形成し、係止突起１５ｇと係止孔１２ｂとを係止させ、内ケース１５とケース本体１２とを前後動不能に構成してある。
また、内ケース１５の後端に後端開口部１５ｈを設け、内ケース１５の後部外周部１５ｉに尾栓１９を着脱可能に装着して後端開口部１５ｈを閉口してある。
【００３２】
図６は、実施例２の替芯ケース１１の側面図である。ケース本体１２の前端部に前方に突出する係合凸部１２ｃを形成し、操作部１３の側面に前後方向に伸びる係合凹部１３ｃを設け、操作部１３の押動時に係合凸部１２ｃと係合凹部１３ｃとが係合可能な位置にあるときは、操作部１３がケース本体１２に対して前後動可能となる。
【００３３】
次に図７を用いて芯の排出待機状態から操作部１３を押動して、替芯ケース１１から芯１４を排出する手段について説明する。
【００３４】
ここで、図５及び図７Ａは実施例２の替芯ケース１１において、芯の排出待機状態を示しており、操作部１３に負荷をかけていない状態である。
【００３５】
次に図７Ａの状態から操作部を押動して、替芯ケース１１から芯１４を排出する手段について説明する。
図７Ａの状態から図７Ｂの位置まで操作部１３を押動することにより、操作部１３と連結体１７とが連動して後方に移動すると共に、支持体１６の先割れの支持部１６ａが膨出部１７ａと当接状態を保ちながら後方へ移動し、支持体１６の段部１６ｆと内ケース１５の前端部１５ｅとが当接し、更に支持体１６の突起部１６ｂが収容部１５ａに突出して他の芯が連絡通路１６ｃに入るのを防止する。
更に操作部１３を押動することにより図７Ｃの状態になると、操作部１３と連動して連結体１７がさらに後退し、先割れの支持部１６ａと膨出部１７ａとの当接が解除され、先割れの支持部１６ａが互いに離間することで芯１４の支持が解除され、支持体１６の内部を芯１４が通過可能となり、芯１４は操作部１３の先端開口部１３ａから外部へ排出される。このとき支持体１６の突起部１６ｂは収容部１５ａへの突出状態を継続しているため、他の芯は連絡通路１６ｃに入ることができず、操作部１３の押動状態を継続しても他の芯が外部へ排出されることはない。
次に操作部１３の押動を解除すると、弾性部材１８の弾発力で操作部１３は図７Ａの状態に戻り、収容部１５ａに突出していた突起部１６ｂは開口部１５ｃの後端より前方に没入し、収容部１５ａ内の他の芯が連絡通路１６ｃに１本入って芯の排出待機状態となる。
【００３６】
次に図８を用いて操作部１３の前後動をロックし、芯１４を一時的に排出不能とする方法について説明する。
図５及び図８Ａの芯の排出待機状態から、操作部１３をケース本体１２に対して相対的に回動して、操作部１３の係合凹部１３ｃとケース本体１２の係合凸部１２ｃとが合致しない図８Ｂの状態にすることで、係合凸部１２ｃが操作部１３の外側面に設けた段部１３ｃに当接して操作部１３の後方への移動を規制し、芯１４の排出が不能な状態となる。
【実施例３】
【００３７】
次に図９〜図１３を用いて本発明の実施例３について説明する。尚、実施例１及び実施例２と同様の構造については説明を省略する。
【００３８】
図９は実施例３の替芯ケースの断面図である。替芯ケース５１は、円筒形状のケース本体５２の前後両端部から突出する操作部５３として、前方操作部５４と後方操作部５５とを設け、ケース本体５２の内部に芯５６を複数収容可能な収容部５７ａを形成した内ケース５７を備え、収容部５７ａの前端に漏斗状の傾斜面５７ｂを形成し、傾斜面５７ｂの前端部に開口部５７ｃを設け、替芯ケース１の前方を下に向けた際に、収容部５７ａに収容した芯５６が傾斜面５７ｂにより開口部５７ｃ側に集まるよう構成してある
【００３９】
また、内ケース５７の前方にケース本体５２に対して前後動可能に支持体５８を配設し、支持体５８の前端に２分割した先割れの支持部５８ａを設け、先割れの支持部５８ａは先端が互いに離間する方向に弾性力を有すると共に、支持体５８の後部に突起部５８ｂを設け、突起部５８ｂの中心に芯５６が１本のみ挿通可能な連絡通路５８ｃを形成してある。さらに突起部５８ｂは内ケース５７の開口部５７ｃに対して前後動可能に遊嵌されると共に、突起部５８ｂの後端５８ｄは開口部５７ｃの後端より前方に配置され、支持体５８の側面に内ケース５７の前端部５７ｄと当接可能な段部５８ｅを形成してある。
【００４０】
次に支持体５８の外側且つケース本体５２の内方に連結体５９を設け、連結体５９の内部に内方へ膨出する膨出部５９ａを設け、膨出部５９ａと先割れの支持部５８ａとを当接可能に形成し、外側面に雄螺子部５９ｂが形成されている。
【００４１】
次に連結体５９の前方に前方操作部５４を配設し、前方操作部５４は前端中心に芯５６が通過可能な先端開口部５４ａを有し、後部内周部に雌螺子部５６ｂを形成して連結体５９の雄螺子部５９ｄと螺着してある。また、連結体５９と前方操作部５４とをケース本体５２に対して前後動可能且つ回動可能に形成し、連結体５９の後端部に鍔部５９ｃを形成し、鍔部５９ｃがケース本体５２の内周部に形成した段部５２ａの後端と当接し、連結体５９の前方への移動を規制すると共に、前方操作部５４の後端部が段部５２ａの前端と当接して前方操作部５４の後方への移動を規制する。
【００４２】
また、連結体５９の膨出部５９ａの後端に設けた係止部５９ｄと内ケース５７の前端に設けた係止部５７ｅとの間に弾性部材６０を配設し、連結体と内ケースとが互いに弾発させてある。
更に、支持体５８の前端部５８ｆと前方操作部５４の先端開口部５４ａの後方に設けた段部５４ｄとの間に支持体弾発部材６１を設け、支持体を後方に弾発してある。
【００４３】
次に内ケース５４をケース本体５２に対して前後動可能且つ回動可能に形成し、内ケース５７の後端には後端開口部５７ｆを設けて、収容部５７ａへの芯の補充を可能とし、内ケース５７の後方に後方操作部５５を内ケース５７に対して着脱可能に設けて後端開口部５７ｆを閉口している。
また、後方操作部５５の前端には後方に向かって凹部５５ａを形成し、内ケース５７の外側部に凸部５７ｈを形成し、凹部５５ａと凸部５７ｈとが係合することで、後方操作部５５を内ケース５７の後部外周部５７ｇに前後方向に着脱可能且つ回動不能に装着してある。
【００４４】
図１０は、実施例３の替芯ケースの側面図である。ケース本体５２の側面にＬ字状の摺動溝５２ｂを設け、内ケース５７外側面に摺動突起５７ｉを設け、摺動溝５２ｂは前後方向に形成された縦溝５２ｃと縦溝５２ｃの後端部から直角方向に曲げて形成した横溝５２ｄとで構成され、縦溝５２ｃと摺動突起５７ｉとが係止関係にあるときは、ケース本体５２に対して内ケース５７が前後動可能としてある。更に横溝５２ｄと摺動突起５７ｉが係止状態にあるときは、ケース本体５２に対して内ケース５７の前後動を不能としている。
また、ケース本体５２の前端部に前方に突出する係合凸部５２ｅを形成し、前方操作部５４の側面に前後方向に伸びる係合凹部５４ｅを設け、前方操作部５４の押動時に係合凸部５２ｅと係合凹部５４ｅとが係合可能な位置にあるときは、前方操作部５４がケース本体５２に対して前後動可能となる。
【００４５】
次に図１１を用いて芯の排出待機状態から後方操作部５５を押動して、替芯ケース５１から芯５６を排出する手段について説明する。
【００４６】
図９及び図１１Ａは実施例３の替芯ケース５１において、芯の排出待機状態を示しており、後方操作部５５に負荷をかけていない状態である。
また、図１１Ａの芯の排出待機状態では、内ケース５７の収容部５７ａに入っている芯の内、１本の芯５６が連絡通路５８ｃに入り、先割れの支持部５８ａが連結体５９の膨出部５９ａと当接して互いに接近状態になっていることから、芯５６は先割れの支持部５８ａで支持されている。
次に図１１Ａの状態から図１１Ｂの位置まで後方操作部５５を前方に押動することにより、後方操作部５５と連動して内ケース５７が前方に移動し、内ケース５７の前端部５７ｄが支持体５８の段部５８ｅと当接すると共に、支持体５８の突起部５８ｂが開口部５７ｃから収容部５７ａに突出して傾斜面５７ｂとの間に段差ができるため、他の芯が連絡通路５８ｃに入ることを防止できる。
更に後方操作部５５を押動することにより図１１Ｃの状態になると、後方操作部５５に押圧されて支持体５８が前進し、先割れの支持部５８ａと膨出部５９ａとの当接が解除され、先割れの支持部５８ａが互いに離間することで支持体５８の内部を芯５６が通過可能となり、芯５６は前方操作部５４の先端開口部５４ａより外部へ排出される。このとき支持体５８の突起部５８ｂは収容部５７ａへの突出状態を継続しているため、他の芯は連絡通路５８ｃに入ることができず、後方操作部５５の押動状態を保っても他の芯が排出されることはない。
次に後方操作部５５の押動を解除すると、弾性部材６０及び支持体弾発部材６１の弾発力で後方操作部５５が図１１Ａの状態に戻り、収容部５７ａに突出していた突起部５８ｂは収容部５７ａの開口部５７ｃより前方に没入し、収容部５７ａ内の他の芯が連絡通路５８ｃに１本入って芯の排出待機状態となる。
【００４７】
ここで、図１２Ａは実施例３の替芯ケース５１において、芯の排出待機状態を示しており、前方操作部５４に負荷をかけていない状態である。
【００４８】
次に図１２Ａの状態から前方操作部５４を押動して、替芯ケース５１から芯１４を排出する手段について説明する。
図１２Ａの状態から図１２Ｂの位置まで前方操作部５４を押動することにより、前方操作部５４と連結体５９とが連動して後方に移動すると共に、支持体５８の先割れの支持部５８ａが膨出部５９ａと当接状態を保ちながら後方へ移動し、支持体５８の段部５８ｅと内ケース５７の前端部５７ｄとが当接し、更に支持体５８の突起部５８ｂが収容部５７ａに突出して他の芯が連絡通路１６ｃに入るのを防止する。
更に先端操作部５４を押動することにより図１２Ｃの状態になると、前方操作部５４と連動して連結体５９がさらに後退し、先割れの支持部５８ａと膨出部５９ａとの当接が解除され、先割れの支持部５８ａが互いに離間することで芯５６の支持が解除され、支持体５８の内部を芯５６が通過可能となり、芯５６は前方操作部５４の先端開口部５４ａから外部へ排出される。このとき支持体５８の突起部５８ｂは収容部５７ａへの突出状態を継続しているため、他の芯は連絡通路５８ｃに入ることができず、前方操作部５４の押動状態を継続しても他の芯が外部へ排出されることはない。
次に前方操作部５４の押動を解除すると、弾性部材６０の弾発力で前方操作部５４は図１２Ａの状態に戻り、収容部５７ａに突出していた突起部５８ｂは開口部５７ｃの後端より前方に没入し、収容部５７ａ内の他の芯が連絡通路５８ｃに１本入って芯の排出待機状態となる。
【００４９】
次に図１３を用いて操作部３の前後動をロックし、芯５６を一時的に排出不能とする方法について説明する。
図９及び図１３Ａの状態から、後方操作部５５をケース本体５２に対して相対的に回動して、後方操作部５５と係合している内ケース５７の凸部５８ｈをケース本体５２の摺動溝５２ｂの縦溝５２ｃから横溝５２ｄへ移動して係止ささた図１３Ｂの状態にすることで、ケース本体５２に対して内ケース５７及び後方操作部５５の前後動を規制し、芯５６を一時的に排出不能にした状態となる。また、横溝５２ｄと縦溝５２ｄとの境界部に凸部５２ｆを設けることで、横溝５２ｄと摺動突起５７ｉとの係止状態が不用意に解除されないように構成してある。
また、図９及び図１３Ａの状態から、前方操作部５４をケース本体５２に対して相対的に回動して、前方操作部５４の係合凹部５４ｅとケース本体５２の係合凸部５２ｅとが合致しない図１３Ｂの状態にすることで、係合凸部５２ｅが前方操作部５４の外側面に設けた段部５４ｄに当接して前方操作部５４の後方への移動を規制し、芯５６の排出が不能な状態となる。
【産業上の利用可能性】
【００５０】
本発明による棒状体の容器の構造は、シャープペンシルの替芯ケースの他、爪楊枝、針、綿棒、線香等の棒状体の容器にも利用可能である。
【符号の説明】
【００５１】
１…替芯ケース、
２…ケース本体、２ａ…膨出部、２ｂ…雄螺子部、２ｃ…摺動溝、２ｄ…縦溝、
２ｅ…横溝、２ｆ…凸部、２ｇ…係止部、
３…操作部、３ａ…凹部、
４…芯、
５…内ケース、５ａ…収容部、５ｂ…傾斜面、５ｃ…開口部、５ｄ…前端部、
５ｅ…係止部、５ｆ…後端開口部、５ｇ…後部外周部、５ｈ…凸部、５ｉ…摺動突起、
６…支持体、６ａ…先割れの支持部、６ｂ…突起部、６ｃ…連絡通路、６ｄ…後端、
６ｅ…段部、６ｆ…前端部、
７…先端部材、７ａ…先端開口部、７ｂ…雌螺子部、７ｃ…段部、
８…弾性部材、
９…支持体弾発部材、
１１…替芯ケース、
１２…ケース本体、１２ａ…段部、１２ｂ…係止孔、１２ｃ…係合凸部、
１３…操作部、１３ａ…先端開口部、１３ｂ…雌螺子部、１３ｃ…係合凹部、
１３ｄ…段部、
１４…芯、
１５…内ケース、１５ａ…収容部、１５ｂ…傾斜面、１５ｃ…開口部、１５ｄ…段部、
１５ｅ…前端部、１５ｆ…係止部、１５ｇ…係止突起、１５ｈ…後端開口部、
１５ｉ…後部外周部、
１６…支持体、１６ａ…先割れの支持部、１６ｂ…突起部、１６ｃ…連絡通路、
１６ｄ…凸部、１６ｅ…後端、１６ｆ…段部、
１７…連結体、１７ａ…膨出部、１７ｂ…雌螺子部、１７ｃ…鍔部、１７ｄ…係止部、
１８…弾性部材、
１９…尾栓、
５１…替芯ケース、
５２…ケース本体、５２ａ…段部、５２ｂ…摺動溝、５２ｃ…縦溝、５２ｄ…横溝、
５２ｅ…係合凸部、５２ｆ…凸部
５３…操作部、
５４…前方操作部、５４ａ…先端開口部、５４ｂ…係止部、５４ｃ…雌螺子部、
５４ｄ…段部、５４ｅ…係合凹部、
５５…後方操作部、５ａ…凹部、
５６…芯、
５７…内ケース、５７ａ…収容部、５７ｂ…傾斜面、５７ｃ…開口部、５７ｄ…前端部、
５７ｅ…係止部、５７ｆ…後端開口部、５７ｇ…後部外周部、５７ｈ…凸部、
５７ｉ…摺動突起、
５８…支持体、５８ａ…先割れの支持部、５８ｂ…突起部、５８ｃ…連絡通路、
５８ｄ…後端、５８ｅ…段部、５８ｆ…前端部、
５９…連結体、５９ａ…膨出部、５９ｂ…雌螺子部、５９ｃ…鍔部、５９ｄ…係止部、
６０…弾性部材、
６１…支持体弾発部材
【図１】
2015009450.tif 000003
【図２】
2015009450.tif 000004
【図３】
2015009450.tif 000005
【図４】
2015009450.tif 000006
【図５】
2015009450.tif 000007
【図６】
2015009450.tif 000008
【図７】
2015009450.tif 000009
【図８】
2015009450.tif 000010
【図９】
2015009450.tif 000011
【図１０】
2015009450.tif 000012
【図１１】
2015009450.tif 000013
【図１２】
2015009450.tif 000014
【図１３】
2015009450.tif 000015